(57)【特許請求の範囲】
【請求項１】
オス端子と該オス端子を収容する第１ターミナルハウジングとを備えたオス側コネクタ部と、
前記オス端子と接続されるメス端子と該メス端子を収容する第２ターミナルハウジングとを備えたメス側コネクタ部とからなり、
前記オス側コネクタ部の両側面部には、スライド軸が備えられており、
前記メス側コネクタ部の両側面部には、前記スライド軸が挿入されるスライド直線孔と、回動軸を中心に回動する回動レバーとが備えられており、
前記回動レバーの両側部には、前記スライド軸が挿入されるスライド湾曲孔が備えられており、
前記回動レバーの回動により、前記オス側コネクタ部と前記メス側コネクタ部との嵌合が行われるコネクタであって、
前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、
前記第１ターミナルハウジングに形成されたフランジ部と、前記フランジ部に形成された複数のフランジ突出部と、前記フランジ突出部に設けられた固定材と、前記第２ターミナルハウジングの開口部の近傍に形成された複数の突起とを有し、
前記固定材と前記第１ターミナルハウジングの外周面とが、前記突起を挟持することを特徴とするコネクタ。
【請求項２】
前記固定材は、樹脂であることを特徴とする請求項１記載のコネクタ。
【請求項３】
前記先端固定部は、前記第２ターミナルハウジングの上面部と下面部の横方向の一部を固定するように、複数に分かれて形成されていることを特徴とする請求項１又は２記載のコネクタ。
【請求項４】
オス端子と該オス端子を収容する第１ターミナルハウジングとを備えたオス側コネクタ部と、
前記オス端子と接続されるメス端子と該メス端子を収容する第２ターミナルハウジングとを備えたメス側コネクタ部とからなり、
前記オス側コネクタ部の両側面部には、スライド軸が備えられており、
前記メス側コネクタ部の両側面部には、前記スライド軸が挿入されるスライド直線孔と、回動軸を中心に回動する回動レバーとが備えられており、
前記回動レバーの両側部には、前記スライド軸が挿入されるスライド湾曲孔が備えられており、
前記回動レバーの回動により、前記オス側コネクタ部と前記メス側コネクタ部との嵌合が行われるコネクタであって、
前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、
前記第１ターミナルハウジングに形成されたフランジ部と、前記フランジ部に形成された複数のフランジ突出部と、前記フランジ突出部に設けられた第１の固定材と、前記第１ターミナルハウジングの上面部と下面部に形成された複数の第１ハウジング溝部と、前記第１ハウジング溝部に設けられた第２の固定材とを有し、
前記第１の固定材と前記第２の固定材とが、前記第２ターミナルハウジングの上面部と下面部をそれぞれ上下方向から挟持することを特徴とするコネクタ。
【請求項５】
前記第１の固定材と第２の固定材の少なくとも一方はゴムであるであることを特徴とする請求項４記載のコネクタ。
【請求項６】
オス端子と該オス端子を収容する第１ターミナルハウジングとを備えたオス側コネクタ部と、
前記オス端子と接続されるメス端子と該メス端子を収容する第２ターミナルハウジングとを備えたメス側コネクタ部とからなり、
前記オス側コネクタ部の両側面部には、スライド軸が備えられており、
前記メス側コネクタ部の両側面部には、前記スライド軸が挿入されるスライド直線孔と、回動軸を中心に回動する回動レバーとが備えられており、
前記回動レバーの両側部には、前記スライド軸が挿入されるスライド湾曲孔が備えられており、
前記回動レバーの回動により、前記オス側コネクタ部と前記メス側コネクタ部との嵌合が行われるコネクタであって、
前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、
前記第１ターミナルハウジングに形成されたフランジ部と、前記フランジ部に形成された複数のフランジ突出部と、前記フランジ突出部に設けられた金属性の板バネ材とを有し、
前記板バネと前記第１ターミナルハウジングの外周面とが、前記第２ターミナルハウジングの開口部の近傍の上面部と下面部を挟持することを特徴とするコネクタ。
【請求項７】
前記第２ターミナルハウジングの上面部と下面部に、前記スライド直線孔と並行となるようにリブが形成されていることを特徴とする請求項１〜６のいずれかに記載のコネクタ。
【発明の詳細な説明】
【技術分野】
【０００１】
本発明は、例えば、ハイブリッド車、電気自動車などのエコカーに用いられ、特に、大容量の電力を伝達する際に用いられる電力ハーネスのコネクタに採用される可能性がある技術である。
【背景技術】
【０００２】
近年、著しい進歩を遂げているハイブリッド車、電気自動車などにおいて、モータとインバータとの間、又はインバータとバッテリとの間のように、機器間で大容量の電力を伝達する際に電力ハーネスが用いられている。この電力ハーネスは、その一端側に例えば、オス端子と該オス端子を収容する第１ターミナルハウジングとを備えたオス側コネクタ部と、オス端子と接続されるメス端子と該メス端子を収容する第２ターミナルハウジングとを備えたメス側コネクタ部とからなる２分割構成のコネクタが用いられている（例えば、特許文献１）。
【０００３】
２分割構成のコネクタでは、オス側コネクタ部とメス側コネクタ部との嵌合状態及び非嵌合状態の切り替え、つまり、メス側コネクタ部からのオス側コネクタ部の脱着（オス側コネクタ部からのメス側コネクタ部の脱着でもある）は、メス側コネクタ部の両側面部に備えられる回動軸を中心に回動する回動レバーによって行われる。
【０００４】
該回動レバーに係る動作メカニズムは、回動軸と、オス側コネクタ部の両側面部に備えられるスライド軸と、回動レバーの両側部に備えられるスライド湾曲孔と、及びメス側コネクタの両側面部に備えられるスライド直線孔によって達成される。まず、スライド直線孔にスライド軸を挿入させ、オス側コネクタ部とメス側コネクタ部を仮嵌合させる。次いで、回動レバーを回動させることにより、スライド軸がスライド湾曲孔に沿って移動する。しかして、メス側コネクタ部にオス側コネクタ部が引きつけられるため、容易に、オス側コネクタ部とメス側コネクタ部との嵌合状態を達成することができる。同時に、第１と第２ターミナルハウジングの内部において、オス端子とメス端子とが接続される。
【先行技術文献】
【特許文献】
【０００５】
【特許文献１】特開２００９−０７０７５４号公報
【発明の開示】
【発明が解決しようとする課題】
【０００６】
従来のコネクタにおいては、電磁波遮蔽機能を持たせるために、第１と第２ターミナルハウジングがアルミで成型されたものがある。この構成の場合、両ターミナルハウジング同士が干渉して嵌合できなくなることを防止するため、また第１と第２ターミナルハウジングの製造時の寸法バラツキも考慮して、両ターミナルハウジングの間にある程度の隙間を設ける必要がある。
【０００７】
しかし、振動が発生する自動車のエンジンルームなどにこのコネクタを用いた場合、振動により第１と第２ターミナルハウジング間にガタツキが生じる。そして、両ターミナルハウジング内部に設けられたオス端子とメス端子の接触部が摺動を繰り返すことになる。このため、接触部においてオス端子やメス端子に施されているスズや銀によるめっきが磨耗してしまう。また、オス端子やメス端子の下地の銅がめっきの摩耗によって露出することにより、銅が酸化し、オス端子とメス端子の接触部の抵抗が増加するという問題が生じる。
【０００８】
そこで、特許文献１では、嵌合操作時にメス側コネクタ部の内部に挿入されたオス側コネクタ部の側面部を挟持し、振動による第１と第２ターミナルハウジング間のガタツキを抑制する係止部材を回動レバーに設けることで、第１と第２ターミナルハウジング間のガタツキを防止している。
【０００９】
しかし、特許文献１に提案されている係止部材を含む従来のガタツキ防止の対策を用いてもなお、振動に因る端子の磨耗や接触抵抗の増大等が発生するという問題があった。
【００１０】
そこで、本発明の目的は、上記従来技術の問題点を鑑みて、耐振動性をより向上させ、振動に起因した端子の磨耗や接触抵抗の増大等の発生を防ぐことができるコネクタを提供することにある。
【課題を解決するための手段】
【００１１】
上記目的を達成するために、本発明に係るコネクタは、オス端子と該オス端子を収容する第１ターミナルハウジングとを備えたオス側コネクタ部と、前記オス端子と接続されるメス端子と該メス端子を収容する第２ターミナルハウジングとを備えたメス側コネクタ部とからなり、前記オス側コネクタ部の両側面部には、スライド軸が備えられており、前記メス側コネクタ部の両側面部には、前記スライド軸が挿入されるスライド直線孔と、回動軸を中心に回動する回動レバーとが備えられており、前記回動レバーの両側部には、前記スライド軸が挿入されるスライド湾曲孔が備えられており、前記回動レバーの回動により、前記オス側コネクタ部と前記メス側コネクタ部との嵌合が行われるコネクタであって、前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、前記第１ターミナルハウジングに形成されたフランジ部と、前記フランジ部に形成された複数のフランジ突出部と、前記フランジ突出部に設けられた固定材と、前記第２ターミナルハウジングの開口部の近傍に形成された複数の突起とを有し、記固定材と前記第１ターミナルハウジングの外周面とが、前記突起を挟持するものである。
【００１４】
前記固定材は、樹脂であっても良い。
【００１５】
また、前記先端固定部は、前記第２ターミナルハウジングの上面部と下面部の横方向の一部を固定するように、複数に分かれて形成されていても良い。
【００１８】
また、本発明に係るコネクタは、オス端子と該オス端子を収容する第１ターミナルハウジングとを備えたオス側コネクタ部と、前記オス端子と接続されるメス端子と該メス端子を収容する第２ターミナルハウジングとを備えたメス側コネクタ部とからなり、前記オス側コネクタ部の両側面部には、スライド軸が備えられており、前記メス側コネクタ部の両側面部には、前記スライド軸が挿入されるスライド直線孔と、回動軸を中心に回動する回動レバーとが備えられており、前記回動レバーの両側部には、前記スライド軸が挿入されるスライド湾曲孔が備えられており、前記回動レバーの回動により、前記オス側コネクタ部と前記メス側コネクタ部との嵌合が行われるコネクタであって、前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、前記第１ターミナルハウジングに形成されたフランジ部と、前記フランジ部に形成された複数のフランジ突出部と、前記フランジ突出部に設けられた第１の固定材と、前記第１ターミナルハウジングの上面部と下面部に形成された複数の第１ハウジング溝部と、前記第１ハウジング溝部に設けられた第２の固定材とを有し、前記第１の固定材と前記第２の固定材とが、前記第２ターミナルハウジングの上面部と下面部をそれぞれ上下方向から挟持するものである。
【００１９】
前記第１の固定材と第２の固定材の少なくとも一方はゴムであっても良い。
【００２０】
また、本発明に係るコネクタは、オス端子と該オス端子を収容する第１ターミナルハウジングとを備えたオス側コネクタ部と、前記オス端子と接続されるメス端子と該メス端子を収容する第２ターミナルハウジングとを備えたメス側コネクタ部とからなり、前記オス側コネクタ部の両側面部には、スライド軸が備えられており、前記メス側コネクタ部の両側面部には、前記スライド軸が挿入されるスライド直線孔と、回動軸を中心に回動する回動レバーとが備えられており、前記回動レバーの両側部には、前記スライド軸が挿入されるスライド湾曲孔が備えられており、前記回動レバーの回動により、前記オス側コネクタ部と前記メス側コネクタ部との嵌合が行われるコネクタであって、前記第２ターミナルハウジングの上面部と下面部をそれぞれ上下から挟持し、前記オス側コネクタ部と前記メス側コネクタ部とが嵌合状態にあるときに前記第２ターミナルハウジングの開口部の動きを規制する先端固定部を有すると共に、前記第１ターミナルハウジングに形成されたフランジ部と、前記フランジ部に形成された複数のフランジ突出部と、前記フランジ突出部に設けられた金属性の板バネ材とを有し、前記板バネと前記第１ターミナルハウジングの外周面とが、前記第２ターミナルハウジングの開口部の近傍の上面部と下面部を挟持するものである。
【００２１】
前記第２ターミナルハウジングの上面部と下面部に、前記スライド直線孔と並行となるようにリブが形成されていても良い。
【発明の効果】
【００２２】
本発明は、耐振動性を向上させ、振動に起因した端子の磨耗や接触抵抗の増大等の発生を防ぐことができる。
【図面の簡単な説明】
【００２３】
【図１】本発明の実施形態１に係るコネクタが備えられた電力ハーネスの斜視図である。
【図２】本発明の実施形態１に係るコネクタに関し、オス側コネクタ部とメス側コネクタ部とが分離した様子を説明する説明図である。
【図３】本発明の実施形態１に係るコネクタに関し、オス側コネクタ部の第１ターミナルハウジングの内部を説明する説明図である。
【図４】本発明の実施形態１に係るコネクタに関し、オス端子と機器側オス端子とが一体形成であることを説明する説明図である。
【図５】高周波数においてメス側コネクタ部で発生する共振を説明する説明図である。
【図６Ａ】本発明の実施形態１に係るコネクタが備えられた電力ハーネスの斜視図である。
【図６Ｂ】本発明の実施形態１に係るコネクタの断面図である。
【図７Ａ】本発明の実施形態２に係るコネクタが備えられた電力ハーネスの斜視図である。
【図７Ｂ】本発明の実施形態２に係るコネクタの断面図である。
【図８】本発明の実施形態３に係るコネクタの断面図である。
【発明を実施するための形態】
【００２４】
［実施形態１］
以下に、本発明の実施形態１に係るコネクタについて、図１乃至図６Ｂを用いて説明する。
【００２５】
本発明の実施形態１に係るコネクタ２は、図１及び図２に示すように、電力ハーネス１の少なくとも一端側に設けられ、オス側コネクタ部３とメス側コネクタ部４とを嵌合させると（図１の状態）、それぞれのコネクタ部内の収納空間に備えられるオス端子５と、それと対となるメス端子６とが電気的にそれぞれ接続される。
【００２６】
当該電力ハーネス１は、例えば、有毒ガスの排出を低減でき、大幅な燃料低減効果のあるＨＥＶ（Ｈｙｂｒｉｄ  Ｅｌｅｃｔｒｉｃ  Ｖｅｈｉｃｌｅ）を駆動するモータとインバータ間の接続に用いられ、ＨＥＶのシステムによっては１００Ａ以上の大容量の電流が通電される。
【００２７】
オス側コネクタ部３とメス側コネクタ部４との嵌合状態（図１の状態）及び非嵌合状態（図２の状態）の切り替え、つまり、メス側コネクタ部４からのオス側コネクタ部３の脱着（オス側コネクタ部３からのメス側コネクタ部４の脱着でもある）は、メス側コネクタ部４の両側面部に備えられる回動軸７を中心に回動する回動レバー８によって行われる。
【００２８】
該回動レバー８が図１に示す状態、つまり、ロック部９の位置にあるときは、オス側コネクタ部３とメス側コネクタ部４とは嵌合状態にあり、一方、回動レバー８が図１に示す状態から外れたときには、つまり、ロック部９の位置から外れたときには、オス側コネクタ部３とメス側コネクタ部４とは非嵌合状態となる。なお、回動レバー８に係る動作メカニズムは、回動軸７と、オス側コネクタ部３の両側面部に備えられるスライド軸１０と、回動レバー８の両側部に備えられるスライド湾曲孔１１と、及びメス側コネクタ部４の両側面部に備えられるスライド直線孔１２によって達成される。すなわち、回動レバー８の回動動作により、スライド軸１０がスライド湾曲孔１１に沿って移動し、メス側コネクタ部４にオス側コネクタ部３が引きつけられる。しかして、オス側コネクタ部３とメス側コネクタ部４との嵌合状態（図１の状態）を容易に達成することができる。更に、当該嵌合状態においては、コネクタ２は防水機能も発揮する。
【００２９】
次に、オス側コネクタ部３を説明する。
【００３０】
オス側コネクタ部３は、図１乃至図３に示すように、少なくとも、略直線状に配置された三個（三極）のオス端子５と、該三個のオス端子５が設けられ第１ターミナルハウジング１３の所定の収納空間Ａに収納される樹脂製の第１本体部１４と、三個のオス端子５の先端部を臨ませる第１ハウジング開口部１５を形成し三個のオス端子５及び第１本体部１４を所定の収納空間Ａに収納する第１ターミナルハウジング１３と、から構成される。
【００３１】
また、三個のオス端子５のそれぞれは、その一端部は、第１ターミナルハウジング開口部１５に臨ませる一方、その他端部は、円弧状で且つ機器側の突起部（図示しない）と係合する機器接続孔１６が形成される板状の機器側オス端子１７と接続されている（実際は、オス端子５と機器側オス端子１７とは、同じ部材で形成され一体形成となっている）。なお、この機器側オス端子１７は、本実施形態においては、インバータ側に接続される。
【００３２】
しかして、メス端子６へ挿入されるオス端子５は、図４に示すように、横断面を略コの字状に形成され、一対の側壁部２３と、後述するメス端子６の挟持手段と接触する底部２４とからなる。これは、断面積、表面積を大きくする工夫であり、通電時の発熱軽減、通電時の熱発散性の向上に寄与している。また、オス端子５が設けられる樹脂製の第１本体部１４の損傷、変形の抑止という効果もある。
【００３３】
また、略コの字状に形成されたオス端子５に関し、一対の側壁部２３の前面２３ａは、底部２４の前面２４aより前方に位置しており、図４に示すように、ちょうど、一対の側壁部２３の前面２３ａを含む端部が突出している構成となっている。なお、底部２４の端部２４ｂの両端には、それぞれ凹部２５が形成されている。これにより、オス端子５にて、指等の異物が直接触れ難くするためのゴムキャップが引っ掛け易くなっている。また、一対の側壁部２３の間隔は、指が挿入できない程度である。
【００３４】
また、第１ターミナルハウジング１３は、金属製（例えば、アルミ製）で形成されており、その内部空間は、所定の収納空間Ａを形成している。なお、本実施形態において、所定の収納空間Ａとは、第１本体部１４の端部側から第１ハウジング開口部１５までの内部空間のことを指す。第１ターミナルハウジング１３には、オス端子５の底部２４の上下面に対向する位置であって、オス端子５を上下方向から挟むように所定の収納空間Ａに突出して備えられる突出部２９が備えられている。この突出部２９は、上述のゴムキャップと同様に、オス端子５に手、指等の異物が直接触れ難くする効果を有する。
【００３５】
また、第１ターミナルハウジング１３には、図３に示すように、後述する突出部２９と突出部２９との間であって、又は、オス端子５とオス端子５との間であって、所定の収納空間Ａの内側に向かって突出しているガイド片３６が備えられている。このガイド片３６は、メス側コネクタ部４の収納空間に備えられているガイド溝３７（図２参照）に係合し、オス端子５とメス端子６とがスムーズに接続されるように構成されている。
【００３６】
第１ターミナルハウジング１３の機器側オス端子１７に近い側であって、外面には、フランジ部２７が形成されている。該フランジ部２７の四隅には、機器に取り付ける際に利用可能なフランジ孔２８が形成されている。
【００３７】
なお、本実施形態１では、第１本体部１４は、絶縁性の樹脂製であり、その全体が第１ターミナルハウジング１３に内蔵されているものを示したが、内蔵されていないものであっても良い。つまり、例えば、第１ターミナルハウジング１３が第１本体部１４の一部である端部を覆うように付設しても良い。ただし、この構成を採用する場合は、本実施形態でいうところのフランジ部２７にあたる部分は、第１本体部１４の方に形成した方が良い。
【００３８】
第１本体部１４は、樹脂製であり、金型内にインサート品（オス端子５及び機器側オス端子１７）を装填した後、樹脂を注入して該インサート品を溶融樹脂で包んで固化させ、一体化するインサート成形で製造されている。
【００３９】
また、第１本体部１４には、振動吸収用の振動吸収マット４４が貼付されている。これは、オス側コネクタ部３とメス側コネクタ部４との嵌合状態の安定性向上に寄与するものである。
【００４０】
次に、メス側コネクタ部４を説明する。
【００４１】
メス側コネクタ部４は、図２に示すように、少なくとも、三個のオス端子５と対となる三個のメス端子６と、三個のメス端子６の端部をそれぞれ臨ませる三つのメス端子開口部１８を形成すると共に三個のメス端子６をそれぞれの所定の収納空間へ収納するメス端子ボックス１９と、三個のメス端子６及びメス端子ボックス１９が設けられる第２本体部（図示しない）と、三個のメス端子開口部１８を臨ませる第２ハウジング開口部２０を形成すると共にメス端子ボックス１９及び第２本体部（図示しない）を所定の収納空間に収納する第２ターミナルハウジング２１と、から構成される。
【００４２】
メス端子ボックス１９は、樹脂製であり、三個のメス端子６がそれぞれ収納することができる三つの収納空間が形成されている。つまり、本実施形態でいうところのメス端子ボックスとは、少なくともメス端子を収納する収納空間を複数形成している構成ならば、何でも良い。
【００４３】
また、メス端子６は、一端部には、電線２２が接続されている。接続される電線２２は、耐熱性及び耐油性に優れた電線であり、例えば、中心導体（銅、又はアルミ）−絶縁体（架橋ポリエチレン）−シールド−シールの構成で構成されている。なお、メス端子６の本体は、略箱状に形成され、その内部には、オス端子５を上下方向から挟持する挟持手段（図示しない）を備えている。
【００４４】
次に、本発明の要部である２分割構成のコネクタの振動を抑制する構成について説明する。
【００４５】
従来のガタツキ防止の対策を用いてもなお発生するコネクタの振動について、本発明者は、鋭意研究を行い、特に高周波数において第２ターミナルハウジング２１の先端部（第２ハウジング開口部２０）で共振が発生していることを見出した。すなわち、図５に示すように、メス側コネクタ部４の両側面部には、オス側コネクタ部３とメス側コネクタ部４が嵌合する際にオス側コネクタ部３の両側面部に備えられているスライド軸１０を引き込むためのスライド直線孔１２が備えられている。高周波数における共振の発生は、第２ターミナルハウジング２１にスライド直線孔１２が形成されていることで、高周波数の振動印加時に第２ターミナルハウジング２１の先端部である第２ハウジング開口部２０が図示上下方向に開いてしまう（振動する）ことによるものである。
【００４６】
そこで、本発明は、オス側コネクタ部３と前記メス側コネクタ部４とが嵌合状態のときに、第２ターミナルハウジング２１の先端部（第２ハウジング開口部２０）の動きを規制する先端固定部を有するものである。この先端固定部は、第２ターミナルハウジング２１の上面部と下面部をそれぞれ上下から挟持していることが好ましい。
【００４７】
実施形態１における先端固定部５０は、図６Ａ、６Ｂに示すように、第１ターミナルハウジング１３のフランジ部２７に形成された複数のフランジ突出部５２と、該フランジ突出部５２に設けられた固定材５３と、第２ターミナルハウジング２１の先端部（第２ハウジング開口部２０）の近傍に形成された複数の半球状の突起５４とを有している。フランジ突出部５２と固定材５３は、オス側コネクタ部３とメス側コネクタ部４とが嵌合状態にあるときに、第２ターミナルハウジング２１の第２ハウジング開口部２０よりも外側に位置するように形成されている。また、突起５４は、第２ターミナルハウジング２１の上面部と下面部の外側に形成されている。また、固定材５３と突起５４は、オス側コネクタ部３とメス側コネクタ部４とが嵌合状態にあるときに互いに接触する位置に形成されている。
【００４８】
しかして、オス側コネクタ部３とメス側コネクタ部４とが嵌合状態にあるとき、先端固定部５０では、フランジ突出部５２に設けられた固定材５３と第１ターミナルハウジング１３の外周面（上面部と下面部）とが、第２ターミナルハウジング２１の突起５４を挟持している。つまり、先端固定部５０は、第２ターミナルハウジング２１の第２ハウジング開口部２０の上面部と下面部をそれぞれ上下方向から挟持している。これにより、第２ターミナルハウジング２１の先端部（第２ハウジング開口部２０）が上下方向に開き、共振することを防ぐことができる。したがって、本発明によると、振動に起因した端子の磨耗や接触抵抗の増大等の発生を防ぐことができる。また、電気的接続の信頼性や長期耐久性を確保することができる。
【００４９】
なお、第２ターミナルハウジング２１の第２ハウジング開口部２０は、上下方向に振動しているため、共振を防ぐためには、第２ターミナルハウジング２１の上面部と下面部の動きを上下方向から規制することが効果的であり、特に第２ターミナルハウジング２１の先端部の近傍で動きを抑制することが効果的である。このため、実施形態１においても、先端固定部５０は、第２ターミナルハウジング２１の第２ハウジング開口部２０の近傍の上面部と下面部をそれぞれ上下方向から挟持する構成となっている。
【００５０】
固定材５３としては、樹脂を用いることができる。固定材５３に用いられる樹脂は、耐熱性（例えば、高温でのヒートエージング特性、強度や剛性の維持）を有することが好ましく、例えば、ＰＢＴ（ポリブチレンテレフタレート）やザイテル（登録商標）を用いることができる。
【００５１】
また、先端固定部５０は、第２ターミナルハウジング２１の上面部と下面部のそれぞれに２箇所ずつ形成されている。すなわち、先端固定部５０は、第２ターミナルハウジング２１の上面部と下面部の横方向の全体ではなく一部を固定するように、複数に分かれて形成されている。このようにすることにより、先端固定部５０の横方向の長さを短くすることができ、フランジ突出部５２と固定材５３の加工精度を高めることができる。なお、第２ターミナルハウジング２１の上面部と下面部の横方向の全体を固定しなくても、本実施形態１のように、上面部と下面部の少なくとも２箇所を固定することにより、第２ハウジング開口部２０の振動を十分に規制することができる。
【００５２】
［実施形態２］
次に、本発明の実施形態２に係るコネクタについて、図７Ａ、７Ｂを用いて説明する。実施形態２は、オス側コネクタ部３とメス側コネクタ部４の構成は実施形態１と同様であるが、先端固定部の構成が異なっている。
【００５３】
実施形態２の先端固定部６０は、図７Ａ、７Ｂに示すように、第１ターミナルハウジング１３のフランジ部２７に形成されたフランジ溝部６１と、第２ターミナルハウジング２１の先端部である第２ハウジング開口部２０に設けられた固定材６３とから構成される。フランジ溝部６１は、オス側コネクタ部３とメス側コネクタ部４とが嵌合状態にあるとき、第２ターミナルハウジング２１の上面部と下面部と対向する位置に形成されている。また、固定材６３は、第２ハウジング開口部２０の上面部と下面部に設けられている。なお、固定材６３としては、ゴムを用いることができ、耐熱性等を考慮して、例えば、シリコーンゴムを用いることができる。
【００５４】
しかして、オス側コネクタ部３とメス側コネクタ部４とが嵌合するとき、固定材６３は、フランジ溝部６１に潰されながら挿入される。これにより、先端固定部６０は、第２ターミナルハウジング２１の第２ハウジング開口部２０の上面部と下面部をそれぞれ上下方向から挟持している。よって、第２ターミナルハウジング２１の第２ハウジング開口部２０が上下方向に開き、共振することを防ぐことができる。
【００５５】
実施形態２では、フランジ部２７にフランジ突出部５２を形成するのではなくフランジ溝部６１を形成しているため、フランジ部２７を小さくすることができる。
【００５６】
また、実施形態２では、固定材６３としてゴムを用いることにより、先端固定部６０の加工精度の許容範囲を広くすることができる。このため、図７Ａに示すように、第２ターミナルハウジング２１の上面部と下面部の横方向の全体を固定するように、先端固定部６０を形成することもできる。
【００５７】
［実施形態３］
次に、本発明の実施形態３に係るコネクタについて、図８を用いて説明する。実施形態３は、オス側コネクタ部３とメス側コネクタ部４の構成は実施形態１、２と同様であるが、先端固定部の構成が異なっている。
【００５８】
実施形態３の先端固定部７０は、第１ターミナルハウジング１３のフランジ部２７に形成された複数のフランジ突出部７２と、該フランジ突出部７２に設けられた固定材７３と、第１ターミナルハウジング１３の上面部と下面部に形成された複数の第１ハウジング溝部７１と、該第１ハウジング溝部７１に設けられた固定材８３とから構成される。フランジ突出部７２は、実施形態１と同様の構成である。固定材７３と固定材８３は、樹脂又はゴムを用いることができるが、少なくとも一方はゴムであることが好ましい。
【００５９】
実施形態３では、オス側コネクタ部３とメス側コネクタ部４とが嵌合状態にあるとき、第２ターミナルハウジング２１の第２ハウジング開口部２０の上面部と下面部はそれぞれ、固定材７３と固定材８３とによって上下方向から挟持される。これにより、第２ターミナルハウジング２１の第２ハウジング開口部２０が上下方向に開き、共振することを防ぐことができる。また、固定材７３と固定材８３の少なくとも一方をゴムとすることにより、先端固定部７０の加工精度の許容範囲を広くすることができる。
【００６０】
［その他の実施形態］
先端固定部に板バネを用いることもできる。例えば、フランジ突出部を大きめに形成し、金属性の板バネを当該フランジ突出部に設けることにより、先端固定部を構成することができる。
【００６１】
また、先端固定部に加えて、図６Ａ、図７Ａに示すようなリブ５５を形成することができる。リブ５５は、第２ターミナルハウジング２１の上面部と下面部にスライド直線孔１２と平行となるように形成される。このようにリブ５５を形成することにより、第２ターミナルハウジングの剛性を高めることができ、第２ターミナルハウジングの振動を一層抑制することができる。
【００６２】
また、実施形態１〜３では、スライド直線孔１２がメス側コネクタ部４の両側面部に設けられているが、回動レバー８の配置が変わり当該スライド直線孔１２がオス側コネクタ部３の上面部、下面部に設けられているときは、第１ターミナルハウジング１３の第１ハウジング開口部１５が左右方向に振動することを防ぐように先端固定部を形成すれば良い。
【００６３】
以上、本発明の実施形態を図示し説明してきたが、当業者であれば、本発明の技術思想、技術的範囲から逸脱することなく種々の変更及び修正が可能であることは明白である。かかる変更及び修正は全て本発明の技術思想、技術的範囲に包含されるべきものである。
【符号の説明】
【００６４】
１  電力ハーネス
２  コネクタ
３  オス側コネクタ部
４  メス側コネクタ部
５  オス端子
６  メス端子
７  回動軸
８  回動レバー
９  ロック部
１０  スライド軸
１１  スライド湾曲孔
１２  スライド直線孔
１３  第１ターミナルハウジング
１４  第１本体部
１５  第１ハウジング開口部
１６  機器接続孔
１７  機器側オス端子
１８  メス端子開口部
１９  メス端子ボックス
２０  第２ハウジング開口部
２１  第２ターミナルハウジング
２２  電線
２３  側壁部
２４  底部
２５  凹部
２７  フランジ部
２８  フランジ孔
２９  突出部
３０  底面部
３６  ガイド片
３７  ガイド溝
４４  振動吸収マット
５０、６０、７０  先端固定部
５２、７２  フランジ突出部
５３、６３、７３、８３  固定材
５４  突起
５５  リブ
６１  フランジ溝部
７１  第１ハウジング溝部
【図１】
0005407057.tif 000002
【図２】
0005407057.tif 000003
【図３】
0005407057.tif 000004
【図４】
0005407057.tif 000005
【図５】
0005407057.tif 000006
【図６Ａ】
0005407057.tif 000007
【図６Ｂ】
0005407057.tif 000008
【図７Ａ】
0005407057.tif 000009
【図７Ｂ】
0005407057.tif 000010
【図８】
0005407057.tif 000011